(57)【要約】【課題】カラーの外周側にボスが回動可能に支持されている車両用ペダル装置の軸受部構造において、カラーの径方向のがたつきや位置ずれ、傾斜等を抑制し、異音や振動等の発生を抑制するとともに車両用ペダルの操作フィーリングを向上させる。【解決手段】一対のボルト３０がそれぞれサポートプレート２０、２２の連結穴２４内を挿通させられて、カラー２６の両端部に設けられた雌ねじ２８に螺合されることにより、ボルト３０の頭部３４とカラー２６との間でサポートプレート２０、２２が挟圧されて、カラー２６がサポートプレート２０、２２に一体的に固設されているため、組付作業性を損なうことなくブレーキペダル１２の踏込み操作時におけるカラー２６のがたつきや位置ずれ、傾斜等が抑制される。これにより、異音や振動等の発生が抑制されるとともに、ブレーキペダル１２の位置ずれや姿勢変化が抑制されて操作フィーリングが向上する。【選択図】図２
2015219589.tif 000002
【特許請求の範囲】
【請求項１】
一対のサポートプレートを連結するように略水平に配設された円筒形状のカラーと、
該カラーを前記サポートプレートに一体的に固設する固設部材と、
前記カラーの外周側に一対のフランジ付きブッシュを介して軸心まわりに回動可能に支持されている円筒形状のボスと、
を備えている車両用ペダル装置の軸受部構造において、
前記カラーの端部には雌ねじが設けられているとともに、前記サポートプレートには連結穴が設けられており、前記固設部材として機能するボルトの雄ねじが該連結穴内を挿通させられて該雌ねじに螺合されることにより、該ボルトの頭部と該カラーとの間で該サポートプレートが挟圧されて該カラーが該サポートプレートに一体的に固設されている
ことを特徴とする車両用ペダル装置の軸受部構造。
【請求項２】
前記雌ねじは前記カラーの両端部に設けられているとともに、前記一対のサポートプレートにはそれぞれ連結穴が設けられており、前記固設部材として機能する一対のボルトの雄ねじが該連結穴内を挿通させられてそれぞれ該雌ねじに螺合されることにより、該カラーの両端部が該一対のサポートプレートにそれぞれ一体的に固設されている
ことを特徴とする請求項１に記載の車両用ペダル装置の軸受部構造。
【請求項３】
前記連結穴は前記雄ねじの外径よりも大径で、
前記ボルトの前記頭部と前記雄ねじとの間には、前記連結穴と等しい径寸法の嵌合部が設けられている
ことを特徴とする請求項１または２に記載の車両用ペダル装置の軸受部構造。
【請求項４】
前記嵌合部の前記雄ねじ側には、該雄ねじ側へ向かうに従って外径が徐々に小さくなるテーパ部が設けられている
ことを特徴とする請求項３に記載の車両用ペダル装置の軸受部構造。
【発明の詳細な説明】
【技術分野】
【０００１】
本発明は車両用ペダル装置の軸受部構造に係り、特に、車両用ペダルの踏込み操作時の異音や振動等の発生を抑制するとともに操作フィーリングを向上させる技術に関するものである。
【背景技術】
【０００２】
(a) 一対のサポートプレートを連結するように略水平に配設された円筒形状のカラーと、(b) そのカラーを前記サポートプレートに一体的に固設する固設部材と、(c) 前記カラーの外周側に一対のフランジ付きブッシュを介して軸心まわりに回動可能に支持されている円筒形状のボスと、を備えている車両用ペダル装置の軸受部構造が知られている。特許文献１に記載の装置はその一例で、ブレーキペダルやクラッチペダルの軸受部構造に関するものであり、一対のサポートプレートにそれぞれ設けられた連結穴およびカラーの内部を挿通させられたボルトが固設部材として用いられており、サポートプレートから外部に突き出す先端部にナットが螺合されることによって、カラーが一対のサポートプレートの間で挟圧された状態で一体的に固設されている。
【先行技術文献】
【特許文献】
【０００３】
【特許文献１】実開昭６１−５５７２０号公報
【発明の概要】
【発明が解決しようとする課題】
【０００４】
しかしながら、このような従来の軸受部構造においては、組付作業性等を確保するためにカラーの内部を挿通させられる固設部材（ボルト）とカラーとの間に所定の隙間を設ける必要があるため、ボスを介してそのカラーによって支持されているブレーキペダル等の車両用ペダルの踏込み操作時に、カラーが径方向にがたついたり位置ずれしたり傾斜したりすることがあり、異音や振動等を生じる恐れがあるとともに、車両用ペダルの位置ずれや姿勢変化で操作フィーリングが損なわれる可能性があった。カラーは一対のサポートプレートの間で軸方向に挟圧されているが、挟圧力（ボルトの締結力）を高くすると変形する可能性があるため、車両用ペダルの踏込み操作時にサポートプレートに対して滑り移動する可能性がある。中間レバーを介してペダル操作力を出力する車両用ペダル装置において、その中間レバーの軸受部構造として同様の構造を採用した場合も、異音や振動等を生じる恐れがあるとともに、中間レバーの位置ずれや姿勢変化で車両用ペダルの操作フィーリングが損なわれる可能性がある。
【０００５】
本発明は以上の事情を背景として為されたもので、その目的とするところは、カラーの外周側にボスが回動可能に支持されている車両用ペダル装置の軸受部構造において、カラーの径方向のがたつきや位置ずれ、傾斜等を抑制し、異音や振動等の発生を抑制するとともに車両用ペダルの操作フィーリングを向上させることにある。
【課題を解決するための手段】
【０００６】
かかる目的を達成するために、第１発明は、(a) 一対のサポートプレートを連結するように略水平に配設された円筒形状のカラーと、(b) そのカラーを前記サポートプレートに一体的に固設する固設部材と、(c) 前記カラーの外周側に一対のフランジ付きブッシュを介して軸心まわりに回動可能に支持されている円筒形状のボスと、を備えている車両用ペダル装置の軸受部構造において、(d) 前記カラーの端部には雌ねじが設けられているとともに、前記サポートプレートには連結穴が設けられており、前記固設部材として機能するボルトの雄ねじがその連結穴内を挿通させられてその雌ねじに螺合されることにより、そのボルトの頭部とそのカラーとの間でそのサポートプレートが挟圧されてそのカラーがそのサポートプレートに一体的に固設されていることを特徴とする。
【０００７】
第２発明は、第１発明の車両用ペダル装置の軸受部構造において、前記雌ねじは前記カラーの両端部に設けられているとともに、前記一対のサポートプレートにはそれぞれ連結穴が設けられており、前記固設部材として機能する一対のボルトの雄ねじがその連結穴内を挿通させられてそれぞれその雌ねじに螺合されることにより、そのカラーの両端部がその一対のサポートプレートにそれぞれ一体的に固設されていることを特徴とする。
【０００８】
第３発明は、第１発明または第２発明の車両用ペダル装置の軸受部構造において、(a) 前記連結穴は前記雄ねじの外径よりも大径で、(b) 前記ボルトの前記頭部と前記雄ねじとの間には、前記連結穴と等しい径寸法の嵌合部が設けられていることを特徴とする。
【０００９】
第４発明は、第３発明の車両用ペダル装置の軸受部構造において、前記嵌合部の前記雄ねじ側には、その雄ねじ側へ向かうに従って外径が徐々に小さくなるテーパ部が設けられていることを特徴とする。
【発明の効果】
【００１０】
このような車両用ペダル装置の軸受部構造においては、固設部材として機能するボルトがサポートプレートの連結穴内を挿通させられて、カラーの端部に設けられた雌ねじに螺合されることにより、そのボルトの頭部とカラーとの間でサポートプレートが挟圧されて、そのカラーがサポートプレートに一体的に固設されているため、組付作業性を損なうことなく車両用ペダルの踏込み操作時におけるカラーのがたつきや位置ずれ、傾斜等が抑制される。すなわち、ボルトはカラーの端部に螺合されるため、カラーを変形させることなく締結力（サポートプレートの挟圧力）を高くすることが可能で、カラーをサポートプレートに対して強固に固設できるのである。これにより、カラーのがたつき等に起因する異音や振動等の発生が抑制されるとともに、カラーの外周側にボスを介して回動可能に支持されている車両用ペダルや中間レバー等の位置ずれや姿勢変化が抑制されて、車両用ペダルの操作フィーリングが向上する。
【００１１】
第２発明では、カラーの両端部に雌ねじが設けられるとともに、一対のサポートプレートにはそれぞれ連結穴が設けられており、一対のボルトによってカラーの両端部がその一対のサポートプレートにそれぞれ一体的に固設されているため、カラーのがたつきや位置ずれ、傾斜等が一層適切に抑制されて車両用ペダルの操作フィーリングが向上する。
【００１２】
第３発明では、ボルトの頭部と雄ねじとの間に設けられた嵌合部が連結穴に略隙間無しで嵌合されるため、カラーがより高い位置精度で一対のサポートプレートに取り付けられるとともに、そのカラーのがたつきや位置ずれ等が一層適切に抑制されるようになり、車両用ペダルの操作フィーリングが更に向上する。
【００１３】
第４発明では、上記嵌合部の雄ねじ側にテーパ部が設けられているため、ボルトをカラーの雌ねじに螺合する際に、テーパ部に案内されて嵌合部が連結穴と同心に芯出しされ、その連結穴内に略隙間無しで嵌合されるようになり、組付作業性を損なうことなくカラーの取付位置精度を向上させることができる。
【図面の簡単な説明】
【００１４】
【図１】本発明が適用されたブレーキペダル装置の一例を示す左側面図である。
【図２】図１におけるII−II矢視部分、すなわちブレーキペダルの軸受部分の拡大断面図である。
【図３】図２においてカラーをサポートプレートに固定している右側のボルトの締結部分を更に拡大して示した断面図である。
【図４】図３のボルトを単独で更に拡大して示した図である。
【図５】図１のブレーキペダルをペダルブラケットに組み付ける組付手順を説明する工程図で、何れも図２に対応する断面図である。
【図６】本発明の他の実施例を説明する図で、図２に対応する断面図である。
【図７】本発明の更に別の実施例を説明する図で、図２に対応する断面図である。
【発明を実施するための形態】
【００１５】
本発明は、車両用のブレーキペダルやクラッチペダル、アクセルペダル等の支持部分の軸受部構造に好適に適用されるが、中間レバーを介してペダル操作力を出力する車両用ペダル装置においては、その中間レバーの軸受部構造に適用することもできる。一対のサポートプレートは別体に構成されたものでも良いが、平面視においてＵ字形状を成すペダルブラケットの互いに略平行な一対の側板状のものでも良い。
【００１６】
カラーは、例えば軸方向の両端がそれぞれ一対のサポートプレートの内側面に略垂直に当接させられる状態で配設され、一対のボルトによってその一対のサポートプレートにそれぞれ一体的に固設されるが、少なくとも軸方向の一端が一方のサポートプレートの内側面に略垂直に当接させられ、ボルトによってそのサポートプレートに一体的に固設されるようになっていれば良い。例えば、カラーの軸方向の他端には外周側へ延び出すフランジが設けられ、他方のサポートプレートに設けられた挿通穴内に一端側から挿入されるとともに、その一端がボルトによって一方のサポートプレートに一体的に固設されることにより、フランジが他方のサポートプレートの外側面に当接させられるだけでも良い。
【００１７】
固設部材として機能するボルトは、第３発明のようにサポートプレートに設けられた連結穴内に略隙間無しで嵌合される嵌合部を有することが望ましいが、組付作業性の観点から、そのような嵌合部を設けることなく、雄ねじと連結穴との間に所定の隙間を有する状態で、その連結穴内に挿入されるようになっていても良い。その場合、隙間分だけボルトの位置精度、更にはカラーの位置精度が損なわれる可能性があるが、ボルトによってサポートプレートに一体的に固設されるため、車両用ペダルの踏込み操作時等にカラーががたついたり位置ずれしたりすることが適切に抑制される。特に、踏込み操作時と同じ方向の荷重を付与して隙間を詰めた状態でボルトを締結するようにすれば、踏込み操作時のがたつきや位置ずれを確実に防止することができる。
【００１８】
フランジ付きブッシュは、円筒部（ブッシュ）の一端に外周側へ延び出す円板状のフランジが設けられたもので、例えば合成樹脂材料にて一体に構成されるが、金属材料にて構成することも可能であり、そのフランジがボスの端部に当接するまで円筒部がボスの貫通穴内に嵌合されるように組み付けられる。このフランジ付きブッシュは、円筒部の締まり嵌合等によりボスに一体的に固設されても良いが、ボスに対して相対回転可能に配設されるものでも良い。また、円筒部とカラーとの間には、組付作業性の観点から必要に応じて所定の隙間が設けられる。
【００１９】
第４発明では、嵌合部の雄ねじ側にテーパ部が設けられているが、第３発明の実施に際しては、テーパ部を設けることなく嵌合部のみを段付き状に設けることも可能である。また、第１発明や第２発明の実施に際しては、嵌合部についても省略することが可能である。第４発明のテーパ部は、例えば鍛造加工や面取り加工等によって形成することが可能で、一定の傾斜角（テーパ角度）で設けることもできるが、軸方向断面における母線が凸形状或いは凹形状を成すように傾斜角が連続的に変化していても良いなど、種々の態様が可能である。すなわち、雄ねじ側へ向かうに従って外径が徐々に小さくなっていれば良い。
【実施例】
【００２０】
以下、本発明の実施例を、図面を参照して詳細に説明する。なお、以下の実施例において、図は説明のために適宜簡略化或いは変形されており、各部の寸法比および形状等は必ずしも正確に描かれていない。
【００２１】
図１は、本発明が適用された車両の常用ブレーキ用のブレーキペダル装置１０を示す左側面図で、図２は図１におけるII−II矢視部分の拡大断面図である。このブレーキペダル装置１０はブレーキペダル１２を備えており、そのブレーキペダル１２は、上端部において略水平な支持軸心Ｓ１まわりに回動可能にペダルブラケット１４によって支持されているとともに、ブレーキペダル１２の下端部にはペダルシート等の踏部１６が一体的に取り付けられている。そして、その踏部１６が運転者によって踏込み操作されると、ブレーキペダル１２は図１において支持軸心Ｓ１の右回りに回動させられ、連結リンク１７および中間レバー１８を介して図示しないプッシュロッド等の出力部材に踏込み操作力が伝達され、その踏込み操作力に応じてブレーキ油圧が発生させられる。中間レバー１８は、支持軸心Ｓ１と平行な支持軸心Ｓ２まわりに回動可能にペダルブラケット１４に配設されている。本実施例では、ブレーキペダル装置１０が車両用ペダル装置で、ブレーキペダル１２は車両用ペダルに相当する。
【００２２】
上記ペダルブラケット１４は、図１の上方から見た平面視においてＵ字形状を成しており、所定の間隔を隔てて設けられた互いに略平行な側板状の一対のサポートプレート２０、２２を一体に備えており、ブレーキペダル１２はその一対のサポートプレート２０、２２の間で支持されている。一対のサポートプレート２０、２２には、支持軸心Ｓ１と同心にそれぞれ連結穴２４が設けられているとともに、それ等のサポートプレート２０、２２の間には円筒形状のカラー２６が支持軸心Ｓ１と略同心に配設されており、そのカラー２６の軸方向の両端はサポートプレート２０、２２の相対向する内側面に略垂直に当接させられている。円筒形状のカラー２６の外径は連結穴２４よりも大径で、その連結穴２４の周縁部に当接させられるとともに、その軸方向の両端部にはそれぞれ軸心上に雌ねじ２８が設けられている。連結穴２４の径寸法は、この雌ねじ２８の谷径よりも大きく、一対のボルト３０の雄ねじ３２は、それぞれ一対のサポートプレート２０、２２の連結穴２４内を遊びを有して挿通させられ、カラー２６の両端部の雌ねじ２８にそれぞれ螺合される。これにより、ボルト３０の頭部３４とカラー２６との間で一対のサポートプレート２０、２２がそれぞれ挟圧され、カラー２６の両端部がそれぞれサポートプレート２０、２２に一体的に固設されている。一対のボルト３０は固設部材に相当する。
【００２３】
図３は、図２における右側のボルト３０の締結部分を拡大して示した断面図で、図４はボルト３０を単独で更に拡大して示した図であり、このボルト３０の雄ねじ３２と頭部３４との間には、雄ねじ３２の外径よりも大径で前記連結穴２４と略等しい径寸法の嵌合部３６が設けられている。本実施例では、寸法誤差に拘らず嵌合部３６が連結穴２４内に締まり嵌合されるように、嵌合部３６の外径が定められている。これにより、嵌合部３６は連結穴２４に隙間無く嵌合され、ボルト３０およびボルト３０の雄ねじ３２が螺合されるカラー２６は、連結穴２４と同心に芯出しされ、連結穴２４の中心である支持軸心Ｓ１と略同心に高い位置精度で一対のサポートプレート２２に取り付けられる。また、嵌合部３６の雄ねじ３２側には、雄ねじ３２側へ向かうに従って径寸法が直線的に小さくなるテーパ部３８が設けられており、ボルト３０をカラー２６の雌ねじ２８に螺合する際に、テーパ部３８に案内されて嵌合部３６が連結穴２４と同心に芯出しされて、その連結穴２４内に隙間無く嵌合される。これにより、組付作業性を損なうことなくカラー２６の取付位置精度を向上させることができる。ボルト３０の嵌合部３６およびテーパ部３８の軸方向長さは、連結穴２４の軸方向長さすなわちサポートプレート２２の板厚と同じかそれよりも小さく、カラー２６と干渉する恐れはない。テーパ部３８は、例えば面取り加工等によって形成される。なお、図２における左側のボルト３０も、上述した右側のボルト３０と同様に構成されている。
【００２４】
一方、前記ブレーキペダル１２の上端部には、上記カラー２６よりも大径の円筒形状のボス４０が溶接により一体的に固設されており、そのボス４０の軸方向の両端部には、一対のフランジ付きブッシュ４２が互いに対向する姿勢で配置されている。一対のフランジ付きブッシュ４２は、同一形状で合成樹脂材料にて一対に構成されており、ボス４０の内径と略同じ外径の円筒部４６を有するとともに、その円筒部４６の一端部に外周側へ延び出す大径の円板形状のフランジ４８が一体に設けられている。そして、円筒部４６がボス４０の貫通穴内に嵌合されることにより、一対のフランジ付きブッシュ４２がそれぞれボス４０の両端部に配置され、その円筒部４６の内側を前記カラー２６が相対回転可能に挿通させられている。すなわち、一対のフランジ付きブッシュ４２を介してボス４０が支持軸心Ｓ１まわりに回動可能にカラー２６によって支持されるとともに、一対のフランジ付きブッシュ４２のフランジ４８を介して一対のサポートプレート２０、２２によりボス４０の軸方向位置が位置決めされる。本実施例では、円筒部４６がボス４０の貫通穴内に圧入され、ボス４０と一体的に回動させられるように、その円筒部４６の外径が定められている一方、円筒部４６の内径はカラー２６の外径と略同じか、組付作業性やブレーキペダル１２の回動抵抗を考慮して必要に応じてカラー２６の外周面との間に所定の隙間が設けられるように大き目に定められる。また、カラー２６の軸方向寸法、すなわち一対のサポートプレート２０、２２の離間寸法は、ボス４０および一対のフランジ４８を合わせた軸方向長さと略同じか、組付作業性やブレーキペダル１２の回動抵抗を考慮して必要に応じて所定の隙間が設けられるように大き目に定められる。
【００２５】
図５は、ブレーキペダル１２をペダルブラケット１４に組み付ける組付手順を説明する工程図で、(a) のブッシュ組付工程では、ブレーキペダル１２に固設されたボス４０の両端部に、フランジ４８がボス４０の端面に当接するまでフランジ付きブッシュ４２の円筒部４６を圧入する。(b) のカラー挿入工程では、その一対のフランジ付きブッシュ４２の円筒部４６内にカラー２６を挿入する。(c) のサポート組付工程では、一対のフランジ付きブッシュ４２およびカラー２６が組み付けられたボス４０を、ペダルブラケット１４の一対のサポートプレート２０と２２との間に挿入して組み付ける。そして、(d) のボルト締結工程では、一対のサポートプレート２０、２２の連結穴２４とカラー２６とが略同心になるように位置合わせした状態で、そのサポートプレート２０、２２の外側から連結穴２４内にボルト３０の雄ねじ３２を挿入し、カラー２６の雌ねじ２８に螺合する。ボルト３０をカラー２６の雌ねじ２８に螺合する際に、テーパ部３８に案内されて嵌合部３６が連結穴２４と同心、すなわち支持軸心Ｓ１と略同心に芯出しされて、その連結穴２４内に隙間無く嵌合されることにより、ボルト３０更にはカラー２６が支持軸心Ｓ１と略同心に高い取付位置精度で一対のサポートプレート２０、２２に一体的に固設される。
【００２６】
このような本実施例のブレーキペダル装置１０においては、固設部材として機能する一対のボルト３０がそれぞれサポートプレート２０、２２の連結穴２４内を挿通させられて、カラー２６の両端部に設けられた雌ねじ２８に螺合されることにより、そのボルト３０の頭部３４とカラー２６との間でサポートプレート２０、２２が挟圧されて、そのカラー２６がサポートプレート２０、２２に一体的に固設されているため、組付作業性を損なうことなくブレーキペダル１２の踏込み操作時におけるカラー２６のがたつきや位置ずれ、傾斜等が抑制される。すなわち、ボルト３０はカラー２６の端部に螺合されるため、カラー２６を変形させることなく締結力（サポートプレート２０、２２の挟圧力）を高くすることが可能で、カラー２６をサポートプレート２０、２２に対して強固に固設できるのである。これにより、カラー２６のがたつき等に起因する異音や振動等の発生が抑制されるとともに、カラー２６の外周側にボス４０を介して回動可能に支持されているブレーキペダル１２の位置ずれや姿勢変化が抑制されて操作フィーリングが向上する。
【００２７】
また、カラー２６の両端部に雌ねじ２８が設けられるとともに、一対のサポートプレート２０、２２にはそれぞれ連結穴２４が設けられており、一対のボルト３０によってカラー２６の両端部がその一対のサポートプレート２０、２２にそれぞれ一体的に固設されているため、カラー２６のがたつきや位置ずれ、傾斜等が一層適切に抑制されてブレーキペダル１２の操作フィーリングが向上する。
【００２８】
また、ボルト３０の頭部３４と雄ねじ３２との間に設けられた嵌合部３６が連結穴２４に隙間無く嵌合されるため、カラー２６がより高い位置精度で支持軸心Ｓ１と略同心に一対のサポートプレート２０、２２に取り付けられるとともに、そのカラー２６のがたつきや位置ずれ等が一層適切に抑制されるようになり、ブレーキペダル１２の操作フィーリングが更に向上する。
【００２９】
また、上記嵌合部３６の雄ねじ３２側にはテーパ部３８が設けられているため、ボルト３０をカラー２６の雌ねじ２８に螺合する際に、テーパ部３８に案内されて嵌合部３６が連結穴２４と同心に芯出しされ、その連結穴２４内に隙間無く嵌合されるようになり、組付作業性を損なうことなくカラー２６の取付位置精度を向上させることができる。
【００３０】
なお、図示および詳しい説明を省略するが、本実施例では、中間レバー１８を支持軸心Ｓ２まわりに回動可能に一対のサポートプレート２０、２２に取り付ける軸受部構造についても、上記ブレーキペダル１２の軸受部構造と同様に構成されている。
【００３１】
次に、本発明の他の実施例を説明する。なお、以下の実施例において前記実施例と実質的に共通する部分には同一の符号を付して詳しい説明を省略する。
【００３２】
図６は、前記図２に対応する断面図で、ブレーキペダル１２の軸受部分の断面図であり、前記実施例に比較してカラー５０が相違する。すなわち、前記実施例のカラー２６は、両端部に設けられた雌ねじ２８の長さ寸法がボルト３０の雄ねじ３２の長さ寸法よりも大きく、寸法誤差に拘らず雄ねじ３２を雌ねじ２８に螺合できるようになっていたが、本実施例のカラー５０の雌ねじ５２の長さ寸法はボルト３０の雄ねじ３２の長さ寸法と略同じである。代わりに、一対の雌ねじ５２の間の中間部分には、雌ねじ５２の谷径よりも径寸法が大きい大径穴部５４が設けられており、雄ねじ３２の先端がこの大径穴部５４内に突き出すことにより、各部の寸法誤差に拘らず雌ねじ５２に対して雄ねじ３２を適切に螺合できるようになっている。
【００３３】
図７は、前記図２に対応する断面図で、ブレーキペダル１２の軸受部分の断面図であり、前記実施例に比較してカラー６０が相違する。このカラー６０の一端部すなわちサポートプレート２２側の端部には、前記実施例と同様に雌ねじ２８が設けられており、前記ボルト３０が螺合されることによりサポートプレート２２に一体的に固設されるが、他端部には雌ねじ２８が設けられることなく外周側へ延び出すフランジ６２が設けられ、サポートプレート２０の外側面に当接させられるだけである。サポートプレート２０には、カラー６０の円筒部分の外径よりも大径の挿通穴６４が支持軸心Ｓ１と同心に設けられている一方、カラー６０には、フランジ６２に隣接して挿通穴６４と略等しい径寸法の嵌合部６６が設けられているとともに、その嵌合部６６に連続して外径が直線的に小さくなるテーパ部６８が設けられている。これにより、雌ねじ２８が設けられた一端部側からサポートプレート２０の挿通穴６４内に挿入され、ボルト３０がその雌ねじ２８に螺合される際に、テーパ部６８に案内されて嵌合部６６が挿通穴６４と同心に芯出しされ、その挿通穴６４内に隙間無く嵌合されるようになり、ボルト３０の嵌合部３６が連結穴２４内に隙間無く嵌合されることと相まって、組付作業性を損なうことなくカラー６０が高い取付位置精度で支持軸心Ｓ１と略同心にサポートプレート２０、２２に取り付けられる。この場合、フランジ６２が当接させられるサポートプレート２０とフランジ付きブッシュ４２のフランジ４８との間には、組付作業性やブレーキペダル１２の回動抵抗を考慮して必要に応じて所定の隙間が設けられるように、カラー６０の長さ寸法が定められる。
【００３４】
本実施例においても、カラー６０の一端部はボルト３０によりサポートプレート２２に一体的に固設され、他端部は嵌合部６６がサポートプレート２０の挿通穴６４内に隙間無く嵌合されるため、ブレーキペダル１２の踏込み操作時におけるカラー６０のがたつきや位置ずれ、傾斜等が抑制される。これにより、カラー６０のがたつき等に起因する異音や振動等の発生が抑制されるとともに、カラー６０の外周側にボス４０を介して回動可能に支持されているブレーキペダル１２の位置ずれや姿勢変化が抑制されて操作フィーリングが向上するなど、前記実施例と同様の作用効果が得られる。
【００３５】
以上、本発明の実施例を図面に基づいて詳細に説明したが、これ等はあくまでも一実施形態であり、本発明は当業者の知識に基づいて種々の変更，改良を加えた態様で実施することができる。
【符号の説明】
【００３６】
１０：ブレーキペダル装置（車両用ペダル装置）    １２：ブレーキペダル    ２０、２２：サポートプレート    ２４：連結穴    ２６、５０、６０：カラー    ２８、５２：雌ねじ    ３０：ボルト（固設部材）    ３２：雄ねじ    ３４：頭部    ３６：嵌合部    ３８：テーパ部    ４０：ボス    ４２：フランジ付きブッシュ
【図１】
2015219589.tif 000003
【図２】
2015219589.tif 000004
【図３】
2015219589.tif 000005
【図４】
2015219589.tif 000006
【図５】
2015219589.tif 000007
【図６】
2015219589.tif 000008
【図７】
2015219589.tif 000009